【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
患者における外科手術野を照明するための照明要素であって、前記照明要素は、
光を前記照明要素の中に入力するための入力面積を有する光入力区分と、
光伝送区分であって、前記入力された光は、前記光伝送区分を通して伝送され、前記光入力区分は、前記光伝送区分の近位区分に光学的に結合されている、光伝送区分と、
光出力区分であって、前記光出力区分は、前記光伝送区分の遠位区分に隣接し、前記光出力区分は、光が抽出される表面積を前記光入力面積と比較して増加させる複数の表面特徴を備える、光出力区分と
を備え、前記光が抽出される表面積は、エネルギー密度を前記照明要素の溶融または前記患者の熱傷を防止するレベルに維持するために十分に大きく、前記光が抽出される表面積は、前記外科手術野へのアクセスおよび前記外科手術野の可視化を妨害することを回避するように構成されている低いプロファイルを有する、照明要素。
【請求項２】
前記光出力区分は、テーパ状である、請求項１に記載の照明要素。
【請求項３】
前記光出力区分は、円錐テーパ状である、請求項１に記載の照明要素。
【請求項４】
前記光出力区分は、上側表面および平坦平面下側表面を備え、前記上側表面は、前記平坦平面下側表面に対して角度付けられている、請求項１に記載の照明要素。
【請求項５】
前記上側表面は、前記平坦平面下側表面に対して３０度またはそれ未満の角度を形成している、請求項４に記載の照明要素。
【請求項６】
前記光が抽出される表面積は、前記光入力面積の少なくとも２倍である、請求項１に記載の照明要素。
【請求項７】
前記光が抽出される表面積は、前記光が抽出される表面積から均一な光出力を提供するように平衡化されている、請求項１に記載の照明要素。
【請求項８】
前記光入力区分、光伝送区分、または出力区分の少なくとも１区分を覆って配置されているクラッディングまたはコーティングをさらに備える、請求項１に記載の照明要素。
【請求項９】
前記クラッディングは、約１〜約１．５の範囲内の屈折率を有する、請求項８に記載の照明要素。
【請求項１０】
前記光入力区分、光伝送区分、または前記光出力区分に結合される外科手術器具をさらに備える、請求項１に記載の照明要素。
【請求項１１】
前記外科手術器具は、吸引管または外科手術開創器ブレードを備える、請求項１０に記載の照明要素。
【請求項１２】
前記吸引管は、交換可能なサイズの先端を備える、請求項１１に記載の照明要素。
【請求項１３】
前記外科手術器具は、交換可能な器具先端を備える、請求項１０に記載の照明要素。
【請求項１４】
前記照明要素は、光導波路を備える、請求項１に記載の照明要素。
【請求項１５】
前記入力された光は、全内部反射（ＴＩＲ）によって、前記光伝送区分を通して伝送される、請求項１に記載の照明要素。
【請求項１６】
患者における標的野を照明するためのシステムであって、前記システムは、
光入力面積を有する光入力区分と、光伝送区分と、光が抽出される表面積を前記光入力面積と比較して増加させる複数の表面特徴を備える光出力区分とを有する照明要素と、
前記光入力区分を介して光を前記照明要素の中に入力する外部源と
を備え、
前記光伝送区分は、前記光伝送区分を通して前記光を伝送するように構成され、
前記光出力区分は、前記光出力区分から前記光を抽出するように構成され、
前記光出力区分は、前記光出力区分から抽出された前記光のエネルギー密度を前記照明要素の溶融を防止するレベルに維持するように構成され、
これにより、前記標的野を前記抽出された光を用いて照明する、システム。
【請求項１７】
前記照明要素は、前記標的野を妨害せずに、前記標的野に向かって前進させられるように構成されている、請求項１６に記載のシステム。
【請求項１８】
前記光が抽出される表面積は、前記入力区分断面積の少なくとも２倍である、請求項１６に記載のシステム。
【請求項１９】
前記標的野の均一照明を提供するように、前記抽出された光を平衡化するための手段をさらに備える、請求項１６に記載のシステム。
【請求項２０】
前記光入力区分、前記光伝送区分、または前記光出力区分に結合される吸引管または外科手術器具をさらに備える、請求項１６に記載のシステム。
【請求項２１】
前記吸引管または前記外科手術器具のいずれかの交換可能な器具先端は、交換されることが可能である、請求項２０に記載のシステム。
【請求項２２】
前記照明要素は、光導波路を備える、請求項１６に記載のシステム。
【請求項２３】
前記光伝送区分は、全内部反射を介して、前記光伝送区分を通して前記光を伝送するように構成されている、請求項１６に記載のシステム。
【手続補正２】
【補正対象書類名】明細書
【補正対象項目名】００１９
【補正方法】変更
【補正の内容】
【００１９】
これらおよび他の実施形態が、添付図面に関係する以下の説明でさらに詳細に説明される。
本発明は、例えば、以下を提供する。
（項目１）
患者における外科手術野を照明するための照明要素であって、前記照明要素は、
光を前記照明要素の中に入力するための光入力区分と、
光伝送区分であって、前記入力された光は、前記光伝送区分を通して伝送され、前記光入力区分は、前記光伝送区分の近位区分に光学的に結合されている、光伝送区分と、
光出力区分であって、前記光出力区分は、前記光伝送区分の遠位区分に隣接し、前記光出力区分は、光がエネルギー密度を伴って前記光出力区分から出射する光抽出面積を備える、光出力区分と
を備え、前記光抽出面積は、前記エネルギー密度を前記照明要素の溶融または前記患者の熱傷を防止するレベルに維持するために十分に大きく、前記光抽出面積は、前記外科手術野へのアクセスおよびその可視化を妨害することを回避するように構成されている低いプロファイルを有する、照明要素。
（項目２）
前記光出力区分は、テーパ状である、項目１に記載の照明要素。
（項目３）
前記光出力区分は、円錐テーパ状である、項目１に記載の照明要素。
（項目４）
前記光出力区分は、上側表面および平坦平面下側表面を備え、前記上側表面は、前記平坦平面下側表面に対して角度付けられている、項目１に記載の照明要素。
（項目５）
前記上側表面は、前記平坦平面下側表面に対して３０度またはそれ未満の角度を形成している、項目４に記載の照明要素。
（項目６）
前記光入力区分は、断面積を有し、前記抽出面積は、前記入力ステム断面積の少なくとも２倍である、項目１に記載の照明要素。
（項目７）
前記光抽出面積は、そこから均一な光出力を提供するように平衡化されている、項目１に記載の照明要素。
（項目８）
前記平衡化されている光抽出面積は、前記光を抽出および指向するための表面特徴を備える、項目７に記載の照明要素。
（項目９）
前記光入力区分、光伝送区分、または出力区分の少なくとも１区分を覆って配置されているクラッディングまたはコーティングをさらに備える、項目１に記載の照明要素。
（項目１０）
前記クラッディングは、約１〜約１．５の範囲内の屈折率を有する、項目９に記載の照明要素。
（項目１１）
前記光入力区分、光伝送区分、または前記光出力区分に結合される外科手術器具をさらに備える、項目１に記載の照明要素。
（項目１２）
前記外科手術器具は、吸引管または外科手術開創器ブレードを備える、項目１１に記載の照明要素。
（項目１３）
前記吸引管は、交換可能なサイズの先端を備える、項目１２に記載の照明要素。
（項目１４）
前記外科手術器具は、交換可能な器具先端を備える、項目１２に記載の照明要素。
（項目１５）
前記照明要素は、光導波路を備える、項目１に記載の照明要素。
（項目１６）
前記入力された光は、全内部反射（ＴＩＲ）によって、前記光伝送区分を通して伝送される、項目１に記載の照明要素。
（項目１７）
患者における外科手術野を照明するための方法であって、前記方法は、
光入力区分と、光伝送区分と、光出力区分とを有する照明要素を提供することと、
前記光入力区分を介して、光を外部源から前記照明要素の中に入力することと、
前記光伝送区分を通して前記光を伝送することと、
前記光を前記光出力区分から抽出することと、
前記光出力区分から抽出された前記光のエネルギー密度を前記照明要素の溶融または前記患者の熱傷を防止するレベルに維持することと、
前記外科手術野を前記抽出された光を用いて照明することと
を含む、方法。
（項目１８）
前記外科手術野を妨害せずに、前記照明要素を前記外科手術野に向かって前進させることをさらに含む、項目１７に記載の方法。
（項目１９）
前記エネルギー密度を維持することは、断面積を有する前記入力区分を提供することと、光抽出面積を有する前記光出力区分を提供することとを含み、前記光抽出面積は、前記入力区分断面積の少なくとも２倍である、項目１７に記載の方法。
（項目２０）
前記外科手術野の均一照明を提供するように、前記抽出された光を平衡化することをさらに含む、項目１７に記載の方法。
（項目２１）
平衡化することは、前記光出力区分上に、前記光を制御および指向する表面特徴を提供することを含む、項目１４に記載の方法。
（項目２２）
前記光入力区分、前記光伝送区分、または前記光出力区分に結合される吸引管または外科手術器具を提供することをさらに含む、項目１７に記載の方法。
（項目２３）
交換可能な器具先端を前記吸引管または前記外科手術器具のいずれかと交換することをさらに含む、項目２２に記載の方法。
（項目２４）
前記照明要素は、光導波路を備える、項目１７に記載の方法。
（項目２５）
前記光を伝送することは、全内部反射を介して、前記光伝送区分を通して前記光を伝送することを含む、項目１７に記載の方法。